(57)【要約】【課題】  ケース本体や裏蓋を金属形成しても、内部に収容されるアンテナの受信感度を劣化（低下）させることのなく、しかも、大型化することがない電波腕時計を実現すること。【解決手段】  ケース本体１０に、裏蓋２０をねじ部材８０により取り付ける電波腕時計において、ケース本体１０と裏蓋２０との間に、ねじ部材８０が挿通されるスペーサ部材４４を介在させ、スペーサ部材４４によりケース本体１０と裏蓋２０との間の電気抵抗を増大させ、ケース本体１０及び裏蓋２０を還流する電流を抑制する。【選択図】  図１１
2008304485.tif 000002
【特許請求の範囲】
【請求項１】
腕時計ケースと、標準電波を受信するためのアンテナ及びこのアンテナで受信した標準電波から時刻データを取り出して時刻修正を行なうＩＣチップを有し前記腕時計ケース内部に収容される時計モジュールと、を備えた電波腕時計であって、
前記腕時計ケースは、
内部にアンテナが収容され、裏側にねじ孔が形成された金属製のケース本体と、
このケース本体の裏側に取り付けられ、前記ねじ孔に対応して挿通孔が形成された金属製の裏蓋と、
前記裏蓋の下側から挿通孔を挿通して前記ねじ孔に螺入されるねじ部材と、
前記ケース本体と前記裏蓋との間に介在され、前記ねじ部材が挿通されて、前記ケース本体と前記裏蓋との間の電気抵抗を増大させるためのスペーサ部材と、
を備えたことを特徴とする電波腕時計。
【請求項２】
前記ねじ孔の開口部周囲には、前記スペーサ部材を配置するための、前記スペーサ部材の厚みより少し浅い溝が形成されていることを特徴とする請求項１に記載の電波腕時計。
【請求項３】
前記アンテナと前記ケース本体内面との間に設けられた磁性部材と、
前記アンテナと前記裏蓋との間に設けられた磁性部材と、
を備えたことを特徴とする請求項１又は２に記載の電波腕時計。
【発明の詳細な説明】
【技術分野】
【０００１】
本発明は、電波腕時計に関する。
【背景技術】
【０００２】
従来から、時刻データ（即ち、タイムコード）を含む標準電波を受信するアンテナ（バーアンテナ）を備え、このアンテナで受信した標準電波に基づいて時刻修正を行う電波時計が知られている。しかし、バーアンテナには、近傍に金属部材が有る場合、この近傍金属にアンテナコイルに生じた反磁界（磁束）が通過することで渦電流が流れ、これによってアンテナの受信感度が劣化するという問題がある。従って、例えば腕時計型の電波時計においてケース内にアンテナを収容した場合、ケース本体及び裏蓋を金属製にすると、上述した理由により十分な受信性能が得られない。そこで、裏蓋を非金属にすることで、受信性能の劣化の抑制を図れることが知られている（例えば、特許文献１参照）。
【特許文献１】特開２００１−３３５７１号公報
【発明の開示】
【発明が解決しようとする課題】
【０００３】
しかしながら、裏蓋を非金属とした場合には、ケース及び裏蓋の双方を金属形成した場合と比較して、外観や質感、重量感といった高級感が劣る。
【０００４】
上記事情に鑑み、本発明は、ケース本体や裏蓋を金属形成しても、内部に収容されるアンテナの受信感度を劣化（低下）させることのない電波腕時計を実現することを目的としている。
【課題を解決するための手段】
【０００５】
上記課題を解決するために、請求項１に記載の発明は、腕時計ケースと、標準電波を受信するためのアンテナ及びこのアンテナで受信した標準電波から時刻データを取り出して時刻修正を行なうＩＣチップを有し前記腕時計ケース内部に収容される時計モジュールと、を備えた電波腕時計であって、前記腕時計ケースは、内部にアンテナが収容され、裏側にねじ孔が形成された金属製のケース本体と、このケース本体の裏側に取り付けられ、前記ねじ孔に対応して挿通孔が形成された金属製の裏蓋と、前記裏蓋の下側から挿通孔を挿通して前記ねじ孔に螺入されるねじ部材と、前記ケース本体と前記裏蓋との間に介在され、前記ねじ部材が挿通されて、前記ケース本体と前記裏蓋との間の電気抵抗を増大させるためのスペーサ部材と、を備えたことを特徴としている。
【０００６】
請求項２に記載の発明は、請求項１又は２に記載の電波腕時計において、前記ねじ孔の開口部周囲には、前記スペーサ部材を配置するための、前記スペーサ部材の厚みより少し浅い溝が形成されていることを特徴としている。
いることを特徴としている。
【０００７】
請求項３に記載の発明は、請求項３に記載の機器ケースにおいて、前記アンテナと前記ケース本体内面との間に設けられた磁性部材と、前記アンテナと前記裏蓋との間に設けられた磁性部材と、を備えたことを特徴としている。
【発明の効果】
【０００８】
本発明によれば、ケース本体と前記裏蓋との間に、ねじ部材が挿通されるスペーサ部材が介在されることになるので、金属製のケース本体や裏蓋には、ケース本体内部に収容されるアンテナによって生じる反磁界が通過することによる電流が流れるが、スペーサ部材によりケース本体と裏蓋との間の電気抵抗が増大されるため、ケース本体及び裏蓋を環流する電流が抑制され、この結果、アンテナの受信感度の劣化（低下）が抑制される。
【発明を実施するための最良の形態】
【０００９】
以下、図面を参照して、本発明に好適な実施形態を説明する。尚、以下では、本発明を、電波腕時計である適用した腕時計型の電波時計に適用した場合について説明するが、本発明を適用可能な実施形態がこれに限定されるものではない。
【００１０】
［第１実施形態］
先ず、第１実施形態を説明する。
【００１１】
＜腕時計の構成＞
図１は、本実施形態における腕時計１の分解斜視図である。また、図２は、腕時計１の３時−９時方向の断面図であり、図３は、腕時計１の１２時−６時方向の断面図である。尚、図２、図３では、本実施形態の要部構造を理解し易くするため、時計モジュール５０及び枠部材６０を除いて示している。
【００１２】
図１〜図３に示すように、腕時計１は、内部に時計モジュール５０が収納されるケース本体１０と、ケース本体１０の下面である裏側に取り付けられる裏蓋２０とを備え、ケース本体１０及び裏蓋２０によって腕時計ケースとしての機器ケースを構成している。時計モジュール５０には、標準電波を受信するためのアンテナ５２が含まれている。即ち、腕時計１は、標準電波を受信して時刻修正を行う電波時計である。
【００１３】
ケース本体１０は、ステンレスやチタン等の強度の強い金属によって、上下面に開口した平面視円形の環状に形成されている。また、ケース本体１０の１２時及び６時の部分には、外部側方に延出した延出部１１が形成されており、この延出部１１には、これをユーザの腕に装着するためのバンド部材（不図示）が取り付けられる。
【００１４】
ケース本体１０の上面中央部（視認側）には、時計ガラス１２がリング状のパッキン１３を介して装着され、ケース本体１０の上面外周部には、ケース本体１０の外表面を装飾するためのベゼル１４が取り付けられている。ベゼル１４は、ステンレス等の強度が高い金属によって、厚みの薄い枠形状に形成されている。また、ケース本体１０の内部であって時計ガラス１２の下方には、ケース本体１０の内周に沿って見切部材１５が配置されている。
【００１５】
ケース本体１０の下端部には、この下端部に沿って下方に向けて延出した環状の凸部１６が形成されており、この凸部１６には、防水リング３０を配置するための環状のリング溝１７が形成されている。防水リング３０は、合成樹脂やゴム等の弾性を有する材料によってリング状に形成されており、リング溝１７内に配置された状態で裏蓋２０の内面に圧接するように構成されている。この防水リング３０がケース本体１０と裏蓋２０との間で圧縮されることにより、腕時計ケース内の気密性が確保される。
【００１６】
裏蓋２０は、ケース本体１０と同様のステンレスやチタン等の強度の高い金属により、全体の厚みが薄いほぼ平板状に形成されているとともに、環状の立上部２２を周辺部に有している。この立上部２２は、ケース本体１０の凸部１６がその内側に位置し、内周面がケース本体１０の凸部１６の外周面に当接するとともに、外周面がケース本体１０の外周面との段差が無くほぼ平坦となるように構成されている。
【００１７】
また、裏蓋２０には、ケース本体１０の下面側に形成された４つのねじ孔１８それぞれに対応する挿通孔２４が形成されている。そして、裏蓋２０の裏側からこれらの各挿通孔２４に挿通されたねじ（不図示）が対応するねじ孔１８に螺入して締め付けられることにより、裏蓋２０がケース本体１０の開口部を塞ぐように裏側に固定されている。
【００１８】
更に、ケース本体１０と裏蓋２０との間には、スペーサ部材であるステンレスリング４０が配置されている。このステンレスリング４０は、ステンレスによって厚みの薄いリング状に形成されており、リング溝１７の外側に、ケース本体１０の立上部２２の内周面に沿って配置されている。即ち、ステンレスリング４０は、ケース本体１０の凸部１６と裏蓋２０との間に挟み込まれて固定されている。また、ステンレスリング４０は、立上部２２の内側に配置されているので、腕時計１の外部に露出しないようになっている。
【００１９】
ケース本体１０と裏蓋２０との間に介在するステンレスリング４０により、ケース本体１０の下端部と裏蓋２０との間にステンレスリング４０の厚みに相当する隙間が生じ、ケース本体１０と裏蓋２０とは、ケース本体１０の凸部１６の外側面と裏蓋２０の立上部２２の内周面とのみで接触する。即ち、ケース本体１０と裏蓋２０との接触面積が小さくなる。また、ケース本体１０の凸部１６とステンレスリング４０との接触抵抗、及び、ステンレスリング４０と裏蓋２０との接触抵抗により、ステンレスリング４０を介したケース本体１０と裏蓋２０との間の電気抵抗が増大する。これらの理由により、ケース本体１０と裏蓋２０との間の電気抵抗が、ステンレスリング４０を配置しない場合と比較して増大する。
【００２０】
ステンレスリング４０が設けられない場合には、ケース本体１０の下端部と裏蓋２０の上面とが広範囲で接触した状態となる。この状態で、アンテナ５２に生じる反磁界が金属部材であるケース本体１０若しくは裏蓋２０を通過すると、この接触部分を介してケース本体１０及び裏蓋２０全体に電流が環流し、これによってアンテナ５２の受信性能が劣化（低下）していた。しかし、本実施形態のようにステンレスリング４０を配置することにより、ケース本体１０と裏蓋２０との間の電気抵抗が増大するため、ケース本体１０及び裏蓋２０に環流する電流が抑制されて、アンテナ５２の受信効率の向上が実現される。
【００２１】
ケース本体１０の内部においては、時計モジュール５０が合成樹脂製の枠部材６０に支持されて配置（収納）されている。時計モジュール５０は、標準電波を受信するアンテナ５２や、各種回路を有するＩＣチップ、時針や秒針等の指針を文字盤上で運針させるためのアナログ指針機構等を備えている。
【００２２】
アンテナ５２は、バーアンテナであり、アモルファスやフェライト等の比透磁率が高く、導電率が小さい磁性材料で形成される棒状のコアと、コアの周囲に銅等の導線を巻回させたコイルとを備えて構成される。そして、アンテナ５２は、標準電波による磁界中に置かれると、この磁界による磁束が周囲空間よりも比透磁率が高いコアに集中してコイルに鎖交し、コイルには、コイル内部での磁束変化を妨げる向きに反磁界（磁束）を発生させるように誘導起電力が生じる。
【００２３】
ＩＣチップが有する回路要素としては、時計モジュールの各部を制御するＣＰＵ等の制御ＩＣと、アンテナ５２のコイルと銅等のリード線で電気的に接続されてこのコイルに生じた誘導起電力を検出し、検出した電気信号を増幅・復調して標準電波に含まれる時刻データ（即ち、タイムコード）を取り出す受信回路と、発振器を有して現在時刻を計時する計時回路とが有る。制御ＩＣは、受信回路で取り出された時刻データに基づいて計時回路による計時時刻を修正し、修正された現在時刻を示すようにアナログ指針機構を制御して指針を運針させる等の処理を行う。
【００２４】
枠部材６０は、厚みの薄い円形状の底部６２と、この底部６２の周辺部に沿った側部６４とから成り、時計モジュール５０を下方から支持するとともに、他の構成要素との緩衝を保護する。側部６４は、時計モジュール５０に含まれるアンテナ５２との対向部分（図１では、１２時寄りの約１／３部分）が切り欠かかれており、この切欠き部分には、該切欠き部分に相当する形状及び厚みの磁性シート７０Ａが、絶縁シート７２Ａで被覆されて側部６４の一部を成すように配置されている。
【００２５】
また、裏蓋２０の上面には、図４に示すように、アンテナ５２との対向部分（同図では、１２時寄りの約１／２部分）に、磁性シート７０Ｂが、絶縁テープ７２Ｂにより覆われて裏蓋２０上面に密着して設けられている。この図４は、裏蓋２０の正面図である。
【００２６】
磁性シート７０Ａ，７０Ｂは、例えば、樹脂中に、アモルファスやフェライト等の磁性体粉末や、銅やアルミ等の金属粉末を分散・混合してシート状に形成したものであり、ケース本体１０や裏蓋２０の透磁率よりも高く、且つ導電率が小さい磁性部材である。即ち、金属部材であるケース本体１０及び裏蓋２０それぞれとアンテナ５２との間に、磁性部材である磁性シートＡ７０，７０Ｂが配置された状態となっている。
【００２７】
この磁性シート７０Ａ，７０Ｂによってもアンテナ５２の受信効率の劣化（低下）が抑制される。磁性部材である磁性シートには外部磁界を遮断する効果がある。従って、標準電波によってアンテナ５２に生じる反磁界（磁束）は、磁性シート７０Ａ，７０Ｂに遮断されてケース本体１０や裏蓋２０を殆ど通過しない。このため、金属部材であるケース本体１０や裏蓋２０には、磁界が金属を通過することによる渦電流が殆ど生じず、近傍金属に起因するアンテナ５２の受信効率の劣化（低下）が抑制される。
【００２８】
＜測定結果＞
図５は、ステンレスリング４０の有無によるアンテナ５２の受信感度の測定結果を示す図である。同図（ａ）は、ステンレスリング４０が無い場合の測定結果を示し、同図（ｂ）は、ステンレスリング４０が有る場合（即ち、本実施形態の腕時計１）の測定結果を示している。尚、同図（ａ），（ｂ）は、ステンレスリング４０の有無のみの違いであり、他の測定要素はすべて同一である。
【００２９】
かかる測定では、所定距離だけ離れた位置にある送信機から時刻コードを含む電波を送信し、ステンレスリング４０を配置した／しない各腕時計にて時刻コードを受信可能な送信機の最低の出力電界強度を受信感度として測定した。送信機からは、現在の運用周波数である４０［ｋＨｚ］（ＪＪＹ４０）及び６０［ｋＨｚ］（ＪＪＹ６０）それぞれの標準電波を送信した。ここで「受信可能」とは、受信電波から時刻コードを抽出可能であることを意味している。
【００３０】
同図によれば、４０［ｋＨｚ］及び６０［ｋＨｚ］の何れの周波数の場合も、同図（ｂ）に示すステンレスリング４０を配置した場合の方が、同図（ａ）に示すステンレスリング４０を配置しない場合よりも最低出力電界強度が低い（小さい）。即ち、ステンレスリング４０を配置することで、アンテナ５２の受信感度が向上することがわかる、具体的には、この例では、２〜３［ｄＢμＶ／ｍ］の受信感度が向上した。
【００３１】
＜作用・効果＞
以上のように、第１実施形態によれば、金属形成されたケース本体１０内にアンテナ５２が収容される腕時計１において、ケース本体１０と裏蓋２０との間に介在するステンレスリング４０によってケース本体１０と裏蓋２０との間の電気抵抗が増大することにより、アンテナ５２の受信感度が向上する。
【００３２】
＜変形例＞
尚、上述した第１実施形態を、例えば次のように変形しても良い。
（１）ステンレスリング４０を、ステンレス以外の金属によって形成する。
（２）また、ステンレスリング４０を、樹脂やセラミック等の非導電性の材料により形成する。この場合には、ケース本体１０と裏蓋２０とが絶縁される、即ち非導通となるので、ケース本体１０及び裏蓋２０に環流する電流がほぼ防止され、この結果、アンテナ５２の受信感度の劣化が抑制される。
【００３３】
［第２実施形態］
次に、第２実施形態を説明する。
第２実施形態は、上述した第１実施形態の腕時計１において、ケース本体１０と裏蓋２０との取付部分を、図６に示すように構成した実施形態である。以下、第２実施形態において、上述した第１実施形態と同一要素については同符合を付し、詳細な説明を省略する。
【００３４】
図６は、第２実施形態における腕時計の要部概略断面図であり、ケース本体１０と裏蓋２０との取付部分を示している。同図に示すように、第２実施形態では、ケース本体１０の下端部の内側に全周に亘って環状（リング状）の切欠部が形成され、この切欠部にスペーサ部材４２ａが配置されており、これ以外は第１実施形態とほぼ同一構造となっている。
【００３５】
この場合、スペーサ部材４２ａは、ステンレス等の金属により環状（リング状）に形成され、ケース本体１０の下端部に設けられた切欠部に配置された状態で、ケース本体１０と裏蓋２０との間に挟み込まれて固定されるように構成されている。また、スペーサ部材４２ａは、外周面がリング溝１７の内壁面の一部を成し、内周面がケース本体１０の内周面と略同一面になるとともに、高さ方向の長さが、下端面がケース本体１０の最下面位置よりも少し下方に位置するように構成されている。
【００３６】
従って、ケース本体１０の下端と裏蓋２０との間には、ケース本体１０の最下面からスペーサ部材４２ａが下方に突出する高さ分の隙間が生じ、ケース本体１０の下面と裏蓋２０とは接触しない。また、ケース本体１０及び裏蓋２０それぞれとスペーサ部材４２ａとの接触抵抗により、スペーサ部材４２ａを介したケース本体１０と裏蓋２０との間の電気抵抗が増大する。このため、ケース本体１０及び裏蓋２０に環流する電流が抑制されて、アンテナ５２の受信効率の向上が実現される。
【００３７】
＜変形例＞
尚、第２実施形態を次のように変形しても良い。
【００３８】
（１）スペーサ部材４２ａを、合成樹脂やセラミック等の非導電性（絶縁性）の材料によって形成する。この場合には、絶縁部材であるスペーサ部材４２ａによってケース本体１０と裏蓋２０とが絶縁される。このため、ケース本体１０及び裏蓋２０に環流する電流がほぼ抑制されて、アンテナ５２の受信効率の劣化が抑制される。
【００３９】
（２）スペーサ部材４２ａを、接着やロウ付け等によってケース本体１０に固定する。この場合には、ケース本体１０とスペーサ部材４２ａとが一体的に構成されるので、腕時計の組立工程が簡易になるとともに、腕時計ケース内の気密性が確保される。
【００４０】
（３）図７に示すように、ケース本体１０の下端部の外側に全周に亘って切欠部を形成し、この切欠部に環状のスペーサ部材４２ｂを配置する。この場合、スペーサ部材４２ｂは、スペーサ部材４２ａと同様に、切欠部に配置されてケース本体１０の下端部と裏蓋２０との間に挟み込まれて固定された状態で、高さ方向の長さが、その下端面がケース本体１０の最下面よりも少し下方に位置するような長さに構成されている。
【００４１】
（４）また、図８に示すように、ケース本体１０の下端部の外側に全周に亘って切欠部を形成し、この切欠部に、断面視Ｌ字形状のリング状（環状）のスペーサ部材４２ｃを配置する。この場合、スペーサ部材４２ｃは、Ｌ字形状の内側がその径方向内側を向いて形成されており、切欠部に配置された状態で、このＬ字形状の内側でリング溝１７が形成されるように構成されている。また、スペーサ部材４２ｃは、ケース本体１０と裏蓋２０との間に挟み込まれて固定された状態で、スペーサ部材４２ａと同様に、その下端がケース本体１０の下面よりも少し下方に突出するように構成されている。
【００４２】
（５）また、図９に示すように、ケース本体１０の下端部の内側に全周に亘って切欠部を形成し、この切欠部に、断面視Ｌ字形状のスペーサ部材４２ｄを配置する。この場合、スペーサ部材４２ｄは、Ｌ字形状の内側がその径方向外側を向いて形成されており、切欠部に配置された状態で、このＬ字形状の内側にリング溝１７が形成されるように構成されている。また、スペーサ部材４２ｄは、ケース本体１０と裏蓋２０との間に挟み込まれて固定された状態で、スペーサ部材４２ａと同様に、その下端がケース本体１０の下面よりも少し下方に突出するように構成されている。
【００４３】
（６）また、図１０に示すように、ケース本体１０の下端部と裏蓋２０との間に、リング溝１７を構成する環状（リング状）の凹部を有するスペーサ部材４２ｅを、この凹部を下方に向けて配置する。この場合、スペーサ部材４２ｅは、その上面とケース本体１０の下端部とが接着やロウ付け等によって固定され、ケース本体１０の一部を成すように構成されることが望ましい。従って、このスペーサ部材４２ｅによってケース本体１０と裏蓋２０との間の電気抵抗が増大し、この結果、ケース本体１０及び裏蓋２０に環流する電流が抑制されて、アンテナ５２の受信性能の劣化が抑制される。
【００４４】
［第３実施形態］
次に、第３実施形態を説明する。
第３実施形態は、上述した第１実施形態の腕時計１において、ケース本体１０と裏蓋２０との取付部分を、図１１に示すように構成した実施形態である。以下、第３実施形態において、上述した第１実施形態と同一要素については同符合を付し、詳細な説明を省略する。
【００４５】
図１１は、第３実施形態における腕時計の要部概略断面図であり、ケース本体１０と裏蓋２０との取付部分を示している。同図に示すように、第３実施形態では、スペーサ部材として、ケース本体１０に裏蓋２０を取り付けるためのねじ８０に挿通されるワッシャー４４を備えており、これ以外は第１実施形態とほぼ同一構造となっている。
【００４６】
即ち、裏蓋２０の下側から挿通孔２４を挿通したねじ８０が、ワッシャー４４を挿通してケース本体１０のねじ孔１８に螺入されて、ケース本体１０の裏側に裏蓋２０が取り付けられており、ケース本体１０の下端と裏蓋２０との間に、スペーサ部材であるワッシャー４４が介在した状態となっている。
【００４７】
この場合、ねじ孔１８の開口部周囲には、ワッシャー４４を配置するための、ワッシャー４４の厚みより少し浅いワッシャー溝１９が形成されている。従って、ワッシャー溝１９の深さよりワッシャー４４の厚み方向の長さが長い分、ケース本体１０の下端部と裏蓋２０との間には隙間が生じて、ケース本体１０と裏蓋２０とが接触しない状態となる。また、ケース本体１０及び裏蓋２０それぞれとワッシャー４４との接触抵抗によって、ケース本体１０と裏蓋２０との間の電気抵抗が増大する。この結果、ケース本体１０及び裏蓋２０を環流する電流が抑制されて、アンテナ５２の受信効率の劣化が抑制される。
【００４８】
＜変形例＞
尚、上述した第３実施形態を次のように変形しても良い。
図１２に示すように、スペーサ部材として、金属形成された円筒形状のパイプ４６をねじ孔１８ａ内に配置する。この場合、裏蓋２０の挿通孔２４に挿通したねじ８０が、このパイプ４６を介してねじ孔１８ａに螺入して、ケース本体１０の下面に裏蓋２０が取り付けられる。即ち、ケース本体１０と裏蓋２０との間にパイプ４６が介在した状態となっている。
【００４９】
また、パイプ４６は、その外周面がねじ孔１８ａの内周面と当接するようにねじ孔１８ａの内部に配置され、この状態で下端がケース本体１０の下面より少し下方に突出するように構成されている。従って、ケース本体１０の下端部と裏蓋２０との間には、この突出高さに相当する隙間が生じ、ケース本体１０と裏蓋２０とは接触しない状態となる。また、ケース本体１０と裏蓋２０との間に介在するパイプ４６によってその間の電気抵抗が増大する。その結果、ケース本体１０及び裏蓋２０に還流する電流が抑制され、アンテナ５２の受信効率の向上が実現される。
【００５０】
［第４実施形態］
次に、第４実施形態を説明する。
第４実施形態は、上述した第１実施形態の腕時計１において、ケース本体１０と裏蓋２０との取付部分を、図１４に示すように構成した実施形態である。以下、第４実施形態において、上述した第１実施形態と同一の構成要素については同符合を付し、詳細な説明を省略する。
【００５１】
第４実施形態では、図１３に示すように、スペーサ部材として、径方向に突出するつば部を有する防水リング３２を備え、これ以外は第１実施形態とほぼ同一構造となっている。図１３は、防水リング３２の断面図である。即ち、防水リング３２は、断面が円形状のリング本体３２ａの外周に沿って、その径方向の内方に突出した所定の厚みを持つつば部３２ｂを有して構成されている。
【００５２】
そして、図１４に示すように、この防水リング３２は、リング本体３２ａがリング溝１７内に嵌り、つば部３２ｂがリング溝１７の内側に位置するように配置される。図１４は、第４実施形態における腕時計の要部概略断面図である。防水リング３２は、ケース本体１０と裏蓋２０との間で圧縮されて変形するが、リング溝１７の外側に配置されたつば部３２ｂによってケース本体１０と裏蓋２０との間に隙間が形成され、ケース本体１０と裏蓋２０とは接触しない。
【００５３】
従って、防水リング３２が、例えばゴムや合成樹脂といった導電性を有さない材料で形成される場合には、この防水リング３２によってケース本体１０と裏蓋２０とが絶縁され、ケース本体１０及び裏蓋２０に環流する電流がほぼ防止される。その結果、アンテナ５２の受信効率の劣化が抑制される。
【００５４】
＜変形例＞
尚、第４実施形態を次のように変形しても良い。
【００５５】
（１）図１５に示すように、防水リング３２を、リング本体３２ａの内周に沿ってつば部３２ｂを有するように構成し、リング本体３２ａがリング溝１７に嵌り、つば部３２ｂがリング溝１７の外側に位置するように配置する。
【００５６】
（２）また、防水リング３２を、リング本体３２ａの内方及び外方の双方につば部３２ｂを有するように構成し、リング本体３２ａがリング溝１７に嵌り、各つば部３２ｂがリング溝１７の内側及び外側に位置するように配置する。
【００５７】
［第５実施形態］
次に、第５実施形態を説明する。
第５実施形態は、上述した第１実施形態の腕時計１において、ケース本体１０と裏蓋２０との取付部分を、図１７に示すように構成した実施形態である。以下、第５実施形態において、上述した第１実施形態と同一の構成要素については同符合を付し、詳細な説明を省略する。
【００５８】
図１６に示すように、第５実施形態では、防水リング３４の断面積Ｓ１がケース本体１０の下端部に設けられるリング溝１７の断面積Ｓ２より大きく構成されており、これ以外は第１実施形態とほぼ同一構造となっている。
【００５９】
このため、図１７に示すように、リング溝１７内に配置された防水リング３４は、ケース本体１０と裏蓋２０との間で圧縮・変形されるが、防水リング３４の断面積がリング溝１７の断面積より大きいので、防水リング３４の一部分がリング溝１７内に収まらずに外部に突出し、これによってケース本体１０と裏蓋２０との間に隙間が形成されて、ケース本体１０と裏蓋２０とが接触しない。図１７は、第５実施形態における腕時計の要部概略断面図であり、ケース本体１０と裏蓋２０との取付部分を示している。
【００６０】
従って、防水リング３４が、例えばゴムや合成樹脂等の非導電性の材料により形成される場合には、この防水リング３４によってケース本体１０と裏蓋２０とが絶縁されるので、ケース本体１０及び裏蓋２０に環流する電流がほぼ抑制されて、その結果、アンテナ５２の受信効率の劣化が抑制される。
【００６１】
尚、防水リング３４及びリング溝１７の断面形状はこれに限らず、その断面積がリング溝１７の断面積より大きければ、任意の形状であって良い。
【００６２】
［第６実施形態］
次に、第６実施形態を説明する。
第６実施形態は、上述した第１実施形態の腕時計１において、ケース本体１０と裏蓋２０との取付部分を、図１８に示すように構成した実施形態である。以下、第６実施形態において上述した実施形態と同一の構成要素については同符合を付し、詳細な説明を省略する。
【００６３】
図１８は、第６実施形態における腕時計の要部概略断面図であり、ケース本体１０と裏蓋２０との取付部分を示している。同図に示すように、第６実施形態では、スペーサ部材を備えず、裏蓋２０のケース本体１０との接触面にその間の電気抵抗を増大させるための表面処理部である表面処理膜２６が形成されており、これ以外は第１実施形態とほぼ同一の構造となっている。
【００６４】
即ち、裏蓋２０の上面の内、ケース本体１０の下端部との接触面に所定の表面処理が施され、裏蓋２０よりも電気抵抗値が大きい表面処理膜２６が形成されている。つまり、裏蓋２０は、この表面処理膜２６を介してケース本体１０と接触している。ここで、「表面処理」とは、例えば、塗装やガラスコート、イオンプレーティング等である。この表面処理膜２６により、ケース本体１０と裏蓋２０との間の電気抵抗が増大し、その結果、ケース本体１０及び裏蓋２０に環流する電流が抑制されて、アンテナ５２の受信効率の劣化が抑制される。
【００６５】
例えば、図１９に示すような、裏蓋２０を回転させて裏蓋２０の周辺部に設けられた切り込みをケース本体１０の内周面に設けられた切り込みに螺合させることでケース本体１０に裏蓋２０を取り付けるスクリュー式構造の腕時計ケースの場合には、裏蓋２０のケース本体１０との接触面に表面処理膜２６を設ける。従って、かかる構造の腕時計であっても、金属製のケース本体及び裏蓋から成る腕時計ケースに収容されるアンテナ５２の受信感度の劣化を抑制できる。
【００６６】
＜変形例＞
尚、第６実施形態を次のように変形しても良い。
（１）ケース本体１０の裏蓋２０との接触面に表面処理膜２６を形成する。この場合には、裏蓋２０の上面と接触するケース本体１０の下面に、上記所定の表面処理を施してケース本体１０よりも電気抵抗値が大きい表面処理膜２６を形成する。
（２）また、ケース本体１０及び裏蓋２０のそれぞれの接触面の両方に、表面処理膜２６を形成する。
【００６７】
［第７実施形態］
第７実施形態を説明する。
第７実施形態は、上述した第１実施形態の腕時計１において、ケース本体１０と裏蓋２０との取付部分を、図２０に示すように構成した実施形態である。以下、第７実施形態において、上述した第１実施形態と同一の構成要素については同符合を付し、詳細な説明を省略する。
【００６８】
図２０（ａ）は、第７実施形態における腕時計の要部概略断面図であり、ケース本体１０と裏蓋２０との取付部分を示している。また、同図（ｂ）は、第７実施形態におけるケース本体１０の裏面図である。同図に示すように、第７実施形態では、スペーサ部材を備えず、裏蓋２０と接触するケース本体１０の下端部に、下方に突出した複数の凸部９２が形成されており、これ以外の構造は第１実施形態とほぼ同様となっている。
【００６９】
従って、ケース本体１０と裏蓋２０とは、これら複数の凸部９２の先端面と裏蓋２０の上面とで接触しており、ケース本体１０の下端面全体で裏蓋２０と接触している場合と比較して、ケース本体１０と裏蓋２０との接触面積が減少している。このため、ケース本体１０と裏蓋２０との間の電気抵抗が増大し、ケース本体１０及び裏蓋２０を環流する電流が抑制されて、その結果、アンテナ５２の受信効率の劣化が抑制される。
【００７０】
尚、同図では、リング溝１７の内側に複数の凸部９２を形成しているが、リング溝１７の外側に形成しても良い。また、リング溝１７の内側及び外側の両方に形成しても良い。
【００７１】
＜変形例＞
尚、第７実施形態を、例えば次のように変形しても良い。
【００７２】
（１）複数の凸部９２を、裏蓋２０の上面のケース本体１０との接触面に設ける。この場合も、ケース本体１０と裏蓋２０とは、これらの凸部９２それぞれの先端でのみ接触する。このため、ケース本体１０と裏蓋２０との接触面積が減少し、これによって、ケース本体１０と裏蓋２０との間の電気抵抗が増大する。この結果、ケース本体１０と裏蓋２０とを環流する電流が抑制されて、アンテナ５２の受信効率の劣化が抑制される。
【００７３】
（２）また、図２１に示すように、ケース本体１０の下端面を削り、表面に鋸歯状の複数の凸凹を有する凸凹部９４を形成する。従って、ケース本体１０の下端と裏蓋２０の上面とは、この凸凹部９４の凸部分のみで接触するので、ケース本体１０の下端部と裏蓋２０との間の接触面積が減少する。この結果、ケース本体１０と裏蓋２０との間の電気抵抗が増大し、ケース本体１０と裏蓋２０とを環流する電流が抑制されて、アンテナ５２の受信効率の劣化が抑制される。
【００７４】
（３）また、裏蓋２０の上面に凸凹部９４を形成する。この場合も、この凸凹部９４によってケース本体１０と裏蓋２０との接触面積が減少する。その結果、ケース本体１０と裏蓋２０との間の電気抵抗が増大し、ケース本体１０と裏蓋２０とを環流する電流が抑制されて、アンテナ５２の受信効率の劣化が抑制される。
【００７５】
［変形例］
尚、上述した各実施形態では、ケース本体１０が平面視円形状の腕時計１について説明したが、このケース本体１０の形状が、例えば平面視長方形状といった他の形状であっても良い。また、本発明を適用可能な実施形態は腕時計（腕時計型の電波時計）に限らず、懐中時計やトラベルウォッチといった他の型の電波時計にも同様に適用可能である。
【図面の簡単な説明】
【００７６】
【図１】第１実施形態における腕時計の分解斜視図。
【図２】図１の腕時計の要部概略断面図（３時−９時断面図）。
【図３】図１の腕時計の要部概略断面図（１２時−６時断面図）
【図４】裏蓋の正面図。
【図５】ステンレスリングの有無によるアンテナの受信効率の測定結果。
【図６】第２実施形態における腕時計の要部概略断面図。
【図７】第２実施形態におけるスペーサ部材の変形例。
【図８】第２実施形態におけるスペーサ部材の変形例。
【図９】第２実施形態におけるスペーサ部材の変形例。
【図１０】第２実施形態におけるスペーサ部材の変形例。
【図１１】第３実施形態における腕時計の要部概略断面図。
【図１２】第３実施形態におけるスペーサ部材の変形例。
【図１３】第４実施形態における防水リングの断面図。
【図１４】第４実施形態における腕時計の要部概略断面図。
【図１５】第４実施形態における防水リングの変形例。
【図１６】第４実施形態における防水リングとリング溝との関係図。
【図１７】第５実施形態における腕時計の要部概略断面図。
【図１８】第６実施形態における腕時計の要部概略断面図。
【図１９】第６実施形態における腕時計の変形例。
【図２０】第７実施形態における腕時計の要部概略断面図（ａ）及び裏蓋の正面図（ｂ）。
【図２１】第７実施形態の変形例。
【符号の説明】
【００７７】
１ 腕時計
１０ ケース本体
１６ 凸部
１７ リング溝
１８ ねじ孔
９２ 凸部
９４ 凸凹部
２０ 裏蓋
２２ 立上部
２４ 挿通孔
２６ 表面処理膜（表面処理部）
３０，３２，３４ 防水リング
３２ａ リング本体
３２ｂ つば部
４０ ステンレスリング（スペーサ部材）
４２ａ，４２ｂ，４２ｃ，４２ｄ，４２ｅ スペーサ部材
４４ ワッシャー（スペーサ部材）
４６ パイプ（スペーサ部材）
５０ 時計モジュール
５２ アンテナ
７０Ａ，７０Ｂ 磁性シートＡ，Ｂ
８０ ねじ
【図１】
2008304485.tif 000003
【図２】
2008304485.tif 000004
【図３】
2008304485.tif 000005
【図４】
2008304485.tif 000006
【図５】
2008304485.tif 000007
【図６】
2008304485.tif 000008
【図７】
2008304485.tif 000009
【図８】
2008304485.tif 000010
【図９】
2008304485.tif 000011
【図１０】
2008304485.tif 000012
【図１１】
2008304485.tif 000013
【図１２】
2008304485.tif 000014
【図１３】
2008304485.tif 000015
【図１４】
2008304485.tif 000016
【図１５】
2008304485.tif 000017
【図１６】
2008304485.tif 000018
【図１７】
2008304485.tif 000019
【図１８】
2008304485.tif 000020
【図１９】
2008304485.tif 000021
【図２０】
2008304485.tif 000022
【図２１】
2008304485.tif 000023